(57)【要約】【課題】ブラシ本体の角度調整が可能で、しかも安価に製作可能な歯間ブラシを提供する。【解決手段】歯間清掃用のブラシ本体２と、それを支持するハンドル部材３とを有する歯間ブラシ１であって、ハンドル部材３のベース部１１の一側部に先端側へ延びるアーム部１４を設け、アーム部１４の先端部とベース部１１の他側部間に一体ヒンジ１５，１８，１９，２０を介して屈曲可能に複数のリンク部１３ａ、１６、１７を連設し、第１リンク部１３ａにブラシ本体２の基端部を固定保持するブラシ保持部１３を設け、複数のリンク部１３ａ、１６、１７を用いてブラシ本体２をベース部１１に対して第１姿勢と第２姿勢とに姿勢切換可能となした。【選択図】  図２
2004255069.tif 000002
【特許請求の範囲】
【請求項１】
歯間清掃用のブラシ本体と、それを支持する支持部材とを有する歯間ブラシであって、
前記支持部材のベース部の一側部に先端側へ延びるアーム部を設け、
前記アーム部の先端部とベース部の他側部間に一体ヒンジを介して屈曲可能に複数のリンク部を連設し、
前記複数のリンク部の１つに前記ブラシ本体の基端部を固定保持するブラシ保持部を設け、
前記複数のリンク部を用いてブラシ本体をベース部に対して第１姿勢と第２姿勢とに姿勢切換可能となした、
ことを特徴とする歯間ブラシ。
【請求項２】
前記リンク部を３つ設け、ブラシ保持部に設けた第１リンク部をアーム部の先端部に回動自在に連結し、この第１リンク部をベース部と略平行に配置するとともに、残り２つの第２リンク部及び第３リンク部をアーム部と略平行に配置した第１姿勢と、第１リンク部及び第２リンク部をアーム部の側面に沿って配置するとともに、第３リンク部をベース部の先端面に沿って配置した第２姿勢とにブラシ本体を姿勢切換可能となした請求項１記載の歯間ブラシ。
【請求項３】
前記リンク部を３つ設け、ブラシ保持部に設けた第１リンク部をアーム部の先端部に回動自在に連結し、この第１リンク部をベース部と略平行に配置するとともに、残り２つの第２リンク部及び第３リンク部をアーム部と略平行に配置した第１姿勢と、第１リンク部をアーム部の側面に沿って配置し、第２リンク部及び第３リンク部をベース部の先端面に沿って配置した第２姿勢とにブラシ本体を姿勢切換可能となした請求項１記載の歯間ブラシ。
【請求項４】
前記リンク部を３つ設け、ブラシ保持部に設けた第１リンク部をベース部の先端面の他側部に回動自在に連結し、この第１リンク部をアーム部と略平行に配置するとともに、残り２つの第２リンク部及び第３リンク部をベース部の先端面と略平行に配置した第１姿勢と、第１リンク部をベース部の先端面に沿って配置するとともに、第２リンク部及び第３リンク部をアーム部の側面に沿って配置した第２姿勢とにブラシ本体を姿勢切換可能となした請求項１記載の歯間ブラシ。
【請求項５】
前記ブラシ保持部とアーム部又はベース部とにブラシ本体を第２姿勢に保持する姿勢保持手段を設けた請求項１〜４のいずれか１項記載の歯間ブラシ。
【請求項６】
前記ブラシ保持部とアーム部又はベース部とにブラシ本体を第１姿勢から第２姿勢までの範囲内において段階的に姿勢切換可能に保持する切換保持手段を設けた請求項１〜５のいずれか１項記載の歯間ブラシ。
【発明の詳細な説明】
【０００１】
【発明の属する技術分野】
本発明は、ブラシ本体の角度調整が可能な歯間ブラシに関する。
【０００２】
【従来の技術】
歯間ブラシとして、金属細線からなるワイヤー素線を二つ折りにしてその間にフィラメントを配置させ、このワイヤー素線を捻ってワイヤー素線に対してフィラメントを植毛し、その後フィラメントを所望長さにカットして円筒状や円錐台状に成形してなるブラシ本体と、手で把持可能な細長い合成樹脂製の棒状部材からなり、先端部にブラシ本体のワイヤー基部を埋設状に保持させて、ブラシ本体を一体的に取り付けたハンドル部材とを備えたものが普及している。
【０００３】
ところで、このような構成の歯間ブラシで歯間を清掃する際には、清掃する歯間への植毛部の挿入が容易になるように、清掃部位に応じてワイヤー基部を折り曲げて、ハンドル部材に対する植毛部の角度を調整することになるが、ワイヤー基部の同じ箇所を何度も折曲し直すと、比較的短期間でワイヤーが破断するという問題があった。
【０００４】
このような問題を解決するため、手で保持可能なハンドル本体と、ブラシ本体を固定保持させたブラシ保持部材とを備え、ハンドル本体の先端部を二股状に構成して、その二股部分にブラシ保持部材を回動自在に枢支した歯間ブラシも提案されている（例えば、特許文献１参照。）。しかし、このような歯間ブラシにおいても、ブラシ保持部材を設ける分だけ部品点数が増えて製作コストが高くなるという問題があった。
【０００５】
そこで、ハンドル部材をその軸線に沿って左右１対のハンドル分割体に分割構成し、左右のハンドル分割体の先端部を３つのリンク部で連結するとともに、途中部のリンク部にブラシ本体のワイヤーを保持する保持部を設けてなるハンドル部材を用いた歯間ブラシも提案され実用化されている（例えば、特許文献２参照。）。
【０００６】
この特許文献２記載の歯間ブラシでは、左右のハンドル分割体をスライドさせることでハンドル部材に対するブラシ本体の角度を調整することが可能となり、歯間清掃時における操作性を向上できる。また、ハンドル分割体が１８０°開脚させた状態となるようにハンドル部材を成形することで、ハンドル部材をワンショットで成形することが可能となり、部品点数を減らしてその分製作コストを低減できるという利点がある。
【０００７】
【特許文献１】
特開平９−１２１９４２号公報
【特許文献２】
特表平８−５０８１７９号公報
【０００８】
【発明が解決しようとする課題】
ところが、前記特許文献２記載の歯間ブラシでは、ハンドル分割体を開脚させた状態となるようにハンドル部材を成形する必要があり、しかも３つのリンク部が両ハンドル分割体間に配置されることから、１つのハンドル部材を製作するのに要する金型の成形面が通常の２倍以上となり、１つの金型で成形できるハンドル部材の個数が半減して生産性が低下するという問題がある。また、手で持ちやすい比較的長尺なハンドル部材を製作しようとすると、大型な金型を用いる必要があり、設備経済的な負担が大きくなり、しかもハンドル分割体をスライドさせてブラシ本体の角度を調整する関係上、ハンドルの把持が不安定となるので、小型で持ち難い歯間ブラシだけしか実用化されていないのが実状である。
【０００９】
本発明の目的は、ブラシ本体の角度調整が可能で、しかも安価に製作可能な歯間ブラシを提供することである。
【００１０】
【課題を解決するための手段】
本発明に係る歯間ブラシは、歯間清掃用のブラシ本体と、それを支持する支持部材とを有する歯間ブラシであって、前記支持部材のベース部の一側部に先端側へ延びるアーム部を設け、前記アーム部の先端部とベース部の他側部間に一体ヒンジを介して屈曲可能に複数のリンク部を連設し、前記複数のリンク部の１つに前記ブラシ本体の基端部を固定保持するブラシ保持部を設け、前記複数のリンク部を用いてブラシ本体をベース部に対して第１姿勢と第２姿勢とに姿勢切換可能となしたものである。
【００１１】
ここで、請求項１記載の歯間ブラシにおいて、前記リンク部を３つ設け、ブラシ保持部に設けた第１リンク部をアーム部の先端部に回動自在に連結し、この第１リンク部をベース部と略平行に配置するとともに、残り２つの第２リンク部及び第３リンク部をアーム部と略平行に配置した第１姿勢と、第１リンク部及び第２リンク部をアーム部の側面に沿って配置するとともに、第３リンク部をベース部の先端面に沿って配置した第２姿勢とにブラシ本体を姿勢切換可能となすこと、前記リンク部を３つ設け、ブラシ保持部に設けた第１リンク部をアーム部の先端部に回動自在に連結し、この第１リンク部をベース部と略平行に配置するとともに、残り２つの第２リンク部及び第３リンク部をアーム部と略平行に配置した第１姿勢と、第１リンク部をアーム部の側面に沿って配置し、第２リンク部及び第３リンク部をベース部の先端面に沿って配置した第２姿勢とにブラシ本体を姿勢切換可能となすこと、前記リンク部を３つ設け、ブラシ保持部に設けた第１リンク部をベース部の先端面の他側部に回動自在に連結し、この第１リンク部をアーム部と略平行に配置するとともに、残り２つの第２リンク部及び第３リンク部をベース部の先端面と略平行に配置した第１姿勢と、第１リンク部をベース部の先端面に沿って配置するとともに、第２リンク部及び第３リンク部をアーム部の側面に沿って配置した第２姿勢とにブラシ本体を姿勢切換可能となすこと、などが好ましい実施例である。
【００１２】
また、前記ブラシ保持部とアーム部又はベース部とにブラシ本体を第２姿勢に保持する姿勢保持手段を設けること、前記ブラシ保持部とアーム部又はベース部とにブラシ本体を第１姿勢から第２姿勢までの範囲内において段階的に姿勢切換可能に保持する切換保持手段を設けること、などが好ましい実施例である。
【００１３】
【発明の実施の形態】
以下、本発明の実施例について図面を参照しながら説明する。
図１に示すように、歯間ブラシ１は、歯間清掃用のブラシ本体２と、それを支持する支持部材としてのハンドル部材３とを備えている。尚、ハンドル部材３に代えて、電動歯間ブラシや別途に設けたハンドルに対して着脱自在に構成した短尺な軸部材からなる支持部材を設け、歯間ブラシを電動歯間ブラシ等の替えブラシとして用いることも可能である。
【００１４】
ブラシ本体２は、図１〜図３に示すように、１本の金属細線からなるワイヤー素線を２つ折りにして捻ってなるワイヤー４と、複数のフィラメントをワイヤー４に対して放射状に植毛してなるブラシ部５とを備えた周知の構成のものである。ブラシ部５の外形は、図１に示すように円筒状に形成してもよいし、円錐台状や途中部の外径を両端部の外径よりも大きく設定した樽状に構成してもよい。また、このようなブラシ本体２の製造方法としては、金属細線からなるワイヤー素線を二つ折りにしてその間にフィラメントを配置させ、このワイヤー素線を捻ってワイヤー４に対してフィラメントを植毛し、その後フィラメントを所望長さにカットして製作することになる。
【００１５】
ハンドル部材３は、図１〜図６に示すように、手で把持可能な細長いハンドル部１０と、ハンドル部１０先端のベース部１１に設けた傾動支持手段１２とを備え、ブラシ本体２は傾動支持手段１２を介してハンドル部１０に傾動自在に支持されている。また、このハンドル部材３は、後述するように傾動支持手段１２に設けた複数の一体ヒンジにより、ブラシ本体２を角度調整可能に支持するため、繰り返して折曲可能で且つハンドルとしての剛性を有する合成樹脂材料、例えばポリエチレンやポリプロピレンや熱可塑性エラストマーなどの合成樹脂材料で構成されている。
【００１６】
傾動支持手段１２について説明すると、ベース部１１の先端部（上面）の左側部（一側部）には上方へ延びるアーム部１４が設けられ、アーム部１４の先端部とベース部１１の上面の右側部（他側部）間にはベース部１１の上面と略平行な第１リンク部１３ａと、アーム部１４と略平行な第２リンク部１６及び第３リンク部１７とが連設されている。
【００１７】
第１リンク部１３ａの左側部はアーム部１４の先端部に第１ヒンジ１５を介して回動自在に連結され、第３リンク部１７の下端部は第２ヒンジ１８を介してベース部１１に回動自在に連結され、第２リンク部１６の上端部は第１リンク部１３ａの右側部に第３ヒンジ１９を介して回動自在に連結され、両リンク部１６，１７同士は第４ヒンジ２０を介して回動自在に連結されている。
【００１８】
第１リンク部１３ａにはブラシ本体２のワイヤー４を固定保持するブラシ保持部１３が一体的に形成されている。ブラシ保持部１３に対するブラシ本体２の固定保持方法としては、例えば予めブラシ本体２を製作しておき、ハンドル部材３の成形時にブラシ本体２のワイヤー４をブラシ保持部１３にインサート成形したり、ブラシ本体２のワイヤー４挿着用の取付孔がブラシ保持部１３に形成されるようにハンドル部材３を成形し、高周波加熱や超音波融着などによりワイヤー４の基端部を加熱した状態でこれを取付孔に挿入する方法が採用されている。
【００１９】
第２リンク部１６と第３リンク部１７の長さＬ１は略同じに設定され、アーム部１４の長さＬ２は両リンク部１６，１７を長さＬ１の略２倍の長さに設定され、ブラシ保持部１３の基端部に形成される第１リンク部１３ａの長さＬ３及びベース部１１の先端面の長さＬ４はリンク部１６，１７の長さＬ１と略同じに設定されている。
【００２０】
この傾動支持手段１２によりブラシ本体２は、図２に示すように、両リンク部１６，１７を上下に直列状に配置させて、ブラシ本体２及びブラシ保持部１３の軸線をハンドル部材３と略同一軸線上に位置させた第１姿勢と、図６（ｂ）に示すように、第３リンク部１７をベース部１１の先端面（上面）に重ね合わせるとともに、第２リンク部１６及びブラシ保持部１３の基端の第１リンク部１３ａをアーム部１４の右側面に重ね合わせ、ブラシ本体２及びブラシ保持部１３の軸線をハンドル部材３に対して略直交させた第２姿勢とに姿勢切換可能に支持されている。また、第１姿勢から第２姿勢への切り換えは、図６（ａ）に示すように、両リンク部１６，１７をアーム部１４側へ折曲させて、第１ヒンジ１５を中心にブラシ本体２及びブラシ保持部１３を回動させ、第４ヒンジ２０をアーム部１４の基部側へ押し込んで、第２姿勢に切り換えることになり、第２姿勢から第１姿勢への切り換えは、それとは反対に第４ヒンジ２０を斜め上方へ押し上げて、図６（ａ）の姿勢を経て第１姿勢に切り換えることになる。但し、ハンドル部材３に対するブラシ本体２及びブラシ保持部１３の傾斜角度は、長さＬ１〜Ｌ４を調整したり、ブラシ保持部１３の基端部の傾斜角度を変更したりすることによって、例えば第２姿勢よりも更に鋭角状の姿勢等に切換可能とするなど、任意の角度設定が可能である。
【００２１】
次に、ブラシ本体２を第２姿勢に保持するために傾動支持手段１２に設けた第１姿勢保持手段２１及び第２姿勢保持手段２６について説明する。
第１姿勢保持手段２１について説明すると、図１，図２に示すように、第３リンク部１７の前面には左側へ延びる係合片２２が設けられ、係合片２２の後面側の端部には第１係合突部２３が形成され、ベース部１１の前面には係合片２２を受け入れ可能な凹部２４が形成され、凹部２４の底面には第２係合突部２５が形成され、ブラシ本体２をブラシ保持部１３とともに第２姿勢へ傾動させることで、第１係合突部２３が第２係合突部２５を乗り越えて、両係合突部２３，２５の係合によりブラシ本体２が第２姿勢に保持されるように構成されている。
【００２２】
第２姿勢保持手段２６について説明すると、ブラシ保持部１３の後面側の基端部には第１係合突部２７が形成され、アーム部１４の後面側の上部には右側へ延びる係合片２８が形成され、係合片２８の前面側の先端部には第２係合突部２９が形成され、ブラシ本体２をブラシ保持部１３とともに第２姿勢へ傾動させることで、第１係合突部２７が第２係合突部２９を乗り越えて、両係合突部２７，２９の係合によりブラシ本体２が第２姿勢に保持されるように構成されている。
【００２３】
係合片２２，２８は前後に重ならないサイズ及び位置関係に設けられ、ハンドル部材３の前後方向の途中部を合わせ面とした、サイドコア等を用いない簡単な構成の金型でも成形できるように構成されている。
【００２４】
尚、この第１姿勢保持手段２１及び第２姿勢保持手段２６は、ブラシ保持部１３を第２姿勢に保持できるものであれば凹凸嵌合等、任意の構成のものを採用できるし、必ずしも設ける必要はなく、少なくとも一方は省略してもよい。また、第１姿勢におけるブラシ本体２の姿勢を安定化させるため、アーム部１４とベース部１１と第１リンク部１３ａと両リンク部１６，１７とで囲まれる空間内に装填される板状やブロック状の規制部材を、ハンドル部材３とは別部材或いはアーム部１４の側部にヒンジを介して一体的に設け、この規制部材によりブラシ保持部１３の第２姿勢側への回動を規制して、ブラシ本体２を第１姿勢に安定的に保持できるようにしてもよい。
【００２５】
この歯間ブラシ１では、ブラシ本体２を第１姿勢と第２姿勢とに切り換えることができるので、例えば前歯の歯間を清掃するときには、ブラシ本体２を第１姿勢に保持させることにより、ブラシ本体２を前後に移動させて無理なく清掃することが可能となり、また奥歯の歯間を清掃するときには、第２姿勢に保持させることにより、ブラシ本体２を左右に移動させて無理なく清掃できるので、歯間ブラシ１の操作性を高めて歯間の清掃性を向上できる。
【００２６】
また、ハンドル部材３を成形する際には、サイドコア等を用いない簡単な構成の金型、即ちハンドル部材３の前後方向の途中部を合わせ面とした金型を用いてワンショットで成形できるので、特許文献２記載の歯間ブラシのように、設備経済的な負担が増大することもないし、生産性が低下することもない。
【００２７】
次に、前記歯間ブラシ１の構成を部分的に変更した他の実施例について説明する。尚、前記実施例と同一部材には同一符号を付してその詳細な説明を省略する。
（１）図７に示す歯間ブラシ１Ａのように、第２姿勢保持手段２６に代えて、扇状の係合片２８Ａを有する第２姿勢保持手段２６Ａを設け、この係合片２８Ａの前面側に第１ヒンジ１５を中心とした円周一定間隔おきに第２係合突部２９Ａを形成し、ブラシ保持部１３を第１姿勢と第２姿勢間とに姿勢切換する間に、第１係合突部２７が第２係合突部２９Ａを順次乗り越えて移動するように構成し、第１姿勢と第２姿勢間において第１係合突部２７を第２係合突部２９Ａに係合させて、ブラシ本体２を所望の角度に段階的に角度調整可能に保持させてもよい。尚、この第２姿勢保持手段２６Ａが切換保持手段に相当する。
【００２８】
（２）図８に示す歯間ブラシ１Ｂのように、ブラシ保持部１３に下方へ突出するフック部３０を形成し、アーム部１４にフック部３０が挿入される係止孔３１を形成し、第２姿勢においてフック部３０を係止孔３１の上縁３２に係合させることで、ブラシ保持部１３を第２姿勢に安定的に保持できるように構成してもよい。
【００２９】
（３）  図９、図１０に示す歯間ブラシ１Ｃのように、傾動支持手段１２に代えて、両リンク部１６Ｃ，１７Ｃの長さＮ１を略同じに設定し、アーム部１４Ｃの長さＮ２を両リンク部１６Ｃ，１７Ｃの長さＮ１の略２倍の長さに設定し、ブラシ保持部１３Ｃの基端の第１リンク部１３ａの長さＮ３及びベース部１１Ｃの先端面の長さＮ４をリンク部１６Ｃ，１７Ｃの長さＮ１の略２倍の長さに設定した傾動支持手段１２Ｃを設けてもよい。尚、この歯間ブラシ１Ｃにおいては、第１姿勢保持手段２１に代えて、第２リンク部１６Ｃに係合片２２Ｃを設けた第１姿勢保持手段２１Ｃを用い、この係合片２２Ｃの第２係合突部２５をベース部１１Ｃの第１係合突部２３に係合させて、ブラシ本体２をブラシ保持部１３Ｃとともに第２姿勢に保持することになる。
【００３０】
この歯間ブラシ１Ｃにおいてブラシ本体２は、図１０に示すように、両リンク部１６Ｃ，１７Ｃを上下に直列状に配置させて、ブラシ本体２及びブラシ保持部１３Ｃの軸線をハンドル部材３Ｃと略同一軸線上に位置させた第１姿勢と、図１１（ｂ）に示すように、両リンク部１６Ｃ，１７Ｃをベース部１１Ｃの先端面に重ね合わせるとともに、ブラシ保持部１３Ｃの基端部の第１リンク部１３ａをアーム部１４Ｃの右側面に重ね合わせ、ブラシ本体２及びブラシ保持部１３Ｃの軸線をハンドル部材３Ｃに対して略直交させた第２姿勢とに姿勢切換可能に傾動支持手段１２Ｃに支持される。また、第１姿勢から第２姿勢への切り換えは、図１１（ａ）に示すように、両リンク部１６Ｃ，１７Ｃをアーム部１４Ｃから離間する方向へ折曲させて、第１ヒンジ１５を中心にブラシ本体２及びブラシ保持部１３Ｃを回動させてから、第３ヒンジ１９をアーム部１４Ｃの基部側へ押し込んで、第２姿勢に切り換えることになり、第２姿勢から第１姿勢への切り換えは、それとは反対に第３ヒンジ１９を斜め上側へ押し上げて、図１１（ａ）の姿勢を経て第１姿勢に切り換えることになる。
【００３１】
（４）図１２に示す歯間ブラシ１Ｄに示すように、傾動支持手段１２Ｃに代えて、ブラシ保持部１３Ｄを有する第１リンク部１３ａをベース部１１Ｄの右端部に第１ヒンジ１５Ｄを介して回動自在に連結し、第２リンク部１６Ｄを第１リンク部１３ａの上端部に第３ヒンジ１９Ｄを介して回動自在に連結し、アーム部１４の上端部に第２ヒンジ１８Ｄを介して第３リンク部１７Ｄを回動自在に連結し、両リンク部１６Ｄ、１７Ｄを第４ヒンジ２０Ｄを介して回動自在に連結した傾動支持手段１２Ｄを設けてもよい。
【００３２】
この傾動支持手段１２Ｄでは、第２リンク部１６Ｄと第３リンク部１７Ｄとを同じ長さに設定し、第１リンク部１３ａをリンク部１６Ｄ、１７Ｄの２倍の長さに設定するとともに、ベース１０Ｄの上面の長さ及びアーム部の高さと同じに設定することになる。
【００３３】
そして、この傾動支持手段１２Ｄにより、ブラシ本体２は、図１２（ａ）に示すように、リンク部１６Ｄ、１７Ｄをベース部１１Ｄの上面と略平行に配置するとともに、第１リンク部１３ａをアーム部１４と略平行に配置して、ブラシ本体とハンドル部材とを略直交させた第１姿勢と、第３ヒンジ１９Ｄをアーム部１４の基部側へ押し込んで、図１２（ｂ）に示すように、リンク部１６Ｄ、１７Ｄをアーム部１４の側面に沿って配置させ、第１リンク部１３ａをベース部１１Ｄの上面に沿って配置させた第２姿勢とに切換可能に支持される。
【００３４】
尚、本実施例では４つの一体ヒンジで連結された３つのリンク部の１つにブラシ保持部１３を形成したが、５つ以上の一体ヒンジで連結された４つ以上のリンク部の１つにブラシ保持部１３を形成してもよい。また、連設される複数のリンク部の途中部のリンク部にブラシ保持部１３を設けることも可能である。
【００３５】
【発明の効果】
本発明に係る歯間ブラシによれば、複数のリンク部を折曲させてその姿勢を第１姿勢と第２姿勢とに切り換えることでブラシ本体の姿勢をブラシ保持部とともに、清掃する歯間に応じた清掃し易い所望の角度に切り換えることが可能となり、歯間ブラシの清掃性や操作性を向上できる。また、支持部材を構成するベース部、ブラシ保持部、複数のリンク部及びヒンジは射出成形等によりワンショットで一体成形可能に構成でき、支持部材の製作コストが高くなることも防止できる。しかも、特許文献２とは異なりハンドル部材としての支持部材を開脚した状態に成形する必要がないので、金型サイズが大型になって生産性が低下することもない。更に、ベース部を手で把持できるように細長く構成することで、ハンドル付きの歯間ブラシとしたり、ベース部を短尺に構成することで、取り替え可能な歯間ブラシとしたりできるが、手で持ちやすい比較的長尺なハンドル付きの歯間ブラシを製作する場合でも、既存の成形機を用いて製作することが可能となる。また、特許文献２とは異なり把持部分がスライドしないので、安定的に歯間ブラシを把持することが可能となり、歯間ブラシのハンドリング性を向上できる。
【００３６】
ここで、前記リンク部を３つ設け、ブラシ保持部に設けた第１リンク部をアーム部の先端部に回動自在に連結し、この第１リンク部をベース部と略平行に配置するとともに、残り２つの第２リンク部及び第３リンク部をアーム部と略平行に配置した第１姿勢と、第１リンク部及び第２リンク部をアーム部の側面に沿って配置するとともに、第３リンク部をベース部の先端面に沿って配置した第２姿勢とにブラシ本体を姿勢切換可能となすと、第２姿勢において、一方のリンク部の回動がベース部で規制され、他方のリンク部の回動がアーム部で規制されるので、ブラシ本体を第２姿勢に安定的に保持でき、歯間ブラシの清掃性や操作性を向上できる。
【００３７】
前記リンク部を３つ設け、ブラシ保持部に設けた第１リンク部をアーム部の先端部に回動自在に連結し、この第１リンク部をベース部と略平行に配置するとともに、残り２つの第２リンク部及び第３リンク部をアーム部と略平行に配置した第１姿勢と、第１リンク部をアーム部の側面に沿って配置し、第２リンク部及び第３リンク部をベース部の先端面に沿って配置した第２姿勢とにブラシ本体を姿勢切換可能となすと、第２姿勢において、両リンク部の回動がベース部で規制されるので、ブラシ本体を第２姿勢に安定的に保持でき、歯間ブラシの清掃性や操作性を向上できる。
【００３８】
前記リンク部を３つ設け、ブラシ保持部に設けた第１リンク部をベース部の先端面の他側部に回動自在に連結し、この第１リンク部をアーム部と略平行に配置するとともに、残り２つの第２リンク部及び第３リンク部をベース部の先端面と略平行に配置した第１姿勢と、第１リンク部をベース部の先端面に沿って配置するとともに、第２リンク部及び第３リンク部をアーム部の側面に沿って配置した第２姿勢とにブラシ本体を姿勢切換可能となすと、第２姿勢において、第２リンク部及び第３リンク部の回動がベース部で規制されるので、ブラシ本体を第２姿勢に安定的に保持でき、歯間ブラシの清掃性や操作性を向上できる。
【００３９】
前記ブラシ保持部とアーム部又はベース部とにブラシ本体を第２姿勢に保持する姿勢保持手段を設けると、姿勢保持手段によりブラシ本体を第２姿勢に、より一層安定的に保持することが可能となる。
【００４０】
前記ブラシ保持部とアーム部又はベース部とにブラシ本体を第１姿勢から第２姿勢までの範囲内において段階的に姿勢切換可能に保持する切換保持手段を設けると、複数段階にブラシ本体を角度切換可能に保持できるので、清掃する部位に応じて、より一層きめ細かくブラシ本体を角度調整した状態で、所望の歯間を清掃できるので、歯間ブラシの清掃性や操作性をより一層向上できる。
【図面の簡単な説明】
【図１】歯間ブラシの（ａ）は平面図、（ｂ）は正面図、（ｃ）は右側面図
【図２】同歯間ブラシの（ａ）は要部正面図、（ｂ）は要部背面図
【図３】図１（ｃ）のＡ−Ａ線断面図
【図４】図１（ｂ）のＢ−Ｂ線断面図
【図５】図１（ｂ）のＣ−Ｃ線断面図
【図６】（ａ）（ｂ）は歯間ブラシの作動説明図
【図７】他の構成の歯間ブラシの（ａ）は要部正面図、（ｂ）は要部背面図
【図８】他の構成の歯間ブラシの図３相当図
【図９】他の構成の歯間ブラシの（ａ）は要部正面図、（ｂ）は要部背面図
【図１０】同歯間ブラシの図３相当図
【図１１】（ａ）（ｂ）は同歯間ブラシの作動説明図
【図１２】他の構成の歯間ブラシの（ａ）は第１姿勢における要部正面図、（ｂ）は第２姿勢における要部正面図
【符号の説明】
１      歯間ブラシ        ２      ブラシ本体
３      ハンドル部材      ４      ワイヤー
５      ブラシ部          １０    ハンドル部
１１    ベース部          １２    傾動支持手段
１３    ブラシ保持部      １３ａ  第１リンク部
１４    アーム部          １５    第１ヒンジ
１６    第２リンク部      １７    第３リンク部
１８    第２ヒンジ        １９    第３ヒンジ
２０    第４ヒンジ        ２１    第１姿勢保持手段
２２    係合片            ２６    第２姿勢保持手段
２３    第１係合突部      ２４    凹部
２５    第２係合突部      ２７    第１係合突部
２８    係合片            ２９    第２係合突部
１Ａ    歯間ブラシ        ２６Ａ  第２姿勢保持手段
２８Ａ  係合片            ２９Ａ  第２係合突部
１Ｂ    歯間ブラシ        ３０    フック部
３１    係止孔            ３２    上縁
１Ｃ    歯間ブラシ        ３Ｃ    ハンドル部材
１１Ｃ  ベース部          １２Ｃ  傾動支持手段
１３Ｃ  ブラシ保持部      １４Ｃ  アーム部
１６Ｃ  第２リンク部      １７Ｃ  第３リンク部
２１Ｃ  第１姿勢保持手段  ２２Ｃ  係合片
１Ｄ    歯間ブラシ        １１Ｄ  ベース部
１３Ｄ  ブラシ保持部      １５Ｄ  第１ヒンジ
１６Ｄ  第２リンク部      １７Ｄ  第３リンク部
１８Ｄ  第２ヒンジ        １９Ｄ  第３ヒンジ
２０Ｄ  第４ヒンジ
【図１】
2004255069.tif 000003
【図２】
2004255069.tif 000004
【図３】
2004255069.tif 000005
【図４】
2004255069.tif 000006
【図５】
2004255069.tif 000007
【図６】
2004255069.tif 000008
【図７】
2004255069.tif 000009
【図８】
2004255069.tif 000010
【図９】
2004255069.tif 000011
【図１０】
2004255069.tif 000012
【図１１】
2004255069.tif 000013
【図１２】
2004255069.tif 000014